(57)【要約】【課題】照明制御機能付きアダプターにおいて、リモコン機能を持つ既設の照明器具に、各種センサーを備えたアダプターを付加するだけで、容易かつ安価に、センサー検知信号に基づく制御機能を照明器具に付与することができる。【解決手段】センサー付きアダプター５Ａが、照明ランプ３及びリモコン受信部Ｌ１を有した汎用の照明器具１Ａと、電源との間に脱着可能に挿入される。このアダプター５Ａは、人体、明るさ又は熱を検知するセンサー９と、照明器具１Ａのリモコン受信部Ｌ１にリモコン信号を送信するリモコン送信部Ｌ３と、センサー９の検知信号に基づいてリモコン送信部Ｌ３を制御する制御回路８とを備えている。かくして、専用のセンサー付き照明器具に取り替えることなく、センサー検知に基づく照明器具の照明制御が可能となる。【選択図】図２
2005158439.tif 000002
【特許請求の範囲】
【請求項１】
照明ランプ、照明制御手段、及び外部からリモコン信号を受信するリモコン受信部を有した照明器具と、電源との間に挿入され、脱着可能な照明制御機能付きアダプターであって、
人体、明るさ又は熱を検知するセンサーと、
前記照明器具のリモコン受信部にリモコン信号を送信するリモコン送信部と、
前記センサーの検知信号に基づいて前記リモコン送信部を制御する制御回路とを備えたことを特徴とする照明制御機能付きアダプター。
【請求項２】
センサーが脱着自在であり、任意のセンサーを選択自在としたことを特徴とする請求項１記載の照明制御機能付きアダプター。
【請求項３】
センサーが光センサーであり、
前記制御回路は、光センサーの検知信号に基づき、検知光が多い時は減光信号を送信し、検知光が少ない時は増光信号を送信するように前記リモコン送信部を制御することを特徴とする請求項１又は請求項２に記載の照明制御機能付きアダプター。
【請求項４】
前記センサーに代えて、商用電源ラインに流れる照明制御信号を検出する電力線搬送機能手段を有し、
前記制御回路は、前記電力線搬送機能手段による検出信号に基づいて照明器具の点灯状態を変化させるリモコン信号を送信するように前記リモコン送信部を制御することを特徴とする請求項１乃至３のいずれかに記載の照明制御機能付きアダプター。
【発明の詳細な説明】
【技術分野】
【０００１】
本発明は、照明器具と電源との間に挿入され、脱着可能な照明制御機能付きアダプターに関する。
【背景技術】
【０００２】
従来から、リモコンによる照明制御機能（リモコン機能という）を備えた照明器具がある。また、人体検知等のセンサーを備え、そのセンサー信号に応じて照明制御を行う照明器具がある。ところで、既設の照明器具に、新たな機能を持つアダプターを付加して、高機能化を図ることが知られている。例えば、リモコン機能を備えていない既設の照明器具に、アダプターとしてコネクタ等を追加又は取り替えることで、リモコン機能を持たせるようなことである。具体的には、リモコン機能を備えていない照明灯のプラグが既設のシーリングコネクタのソケットに着脱自在に装着される構造にあって、プラグとソケットとの間に、別個にリモコンでの照明制御機能と豆電球点灯機能を備えたシーリングコネクタを介在させることが提案されている（例えば、特許文献１参照）。
【特許文献１】実開平６−６２４１４号公報
【発明の開示】
【発明が解決しようとする課題】
【０００３】
ところが、上述した特許文献１に示される構成は、リモコン機能を備えていない既設の照明器具に、リモコン機能を持つアダプターを付加してリモコン機能を持たせるものであって、既にリモコン機能を持っている汎用の照明器具に対してさらに新たな機能を付加するものではない。
【０００４】
本発明は、上記に鑑みて成されたものであり、リモコンによる照明制御機能を持つ汎用の照明器具に、各種センサーを備えたアダプターを付加するだけで、既存の照明器具のリモコン回路部に何らの変更を加えることなく、容易かつ安価に、センサー検知信号に基づく制御機能を照明器具に付与することができる照明制御機能付きアダプターを提供することを目的とする。
【課題を解決するための手段】
【０００５】
上述目的を達成するため、請求項１の発明は、照明ランプ、照明制御手段、及び外部からリモコン信号を受信するリモコン受信部を有した照明器具と、電源との間に挿入され、脱着可能な照明制御機能付きアダプターであって、人体、明るさ又は熱を検知するセンサーと、前記照明器具のリモコン受信部にリモコン信号を送信するリモコン送信部と、前記センサーの検知信号に基づいて前記リモコン送信部を制御する制御回路とを備えたものである。
【０００６】
請求項２の発明は、請求項１記載の照明制御機能付きアダプターにおいて、センサーが脱着自在であり、任意のセンサーを選択自在としたことを特徴とする。
【０００７】
請求項３の発明は、請求項１又は請求項２に記載の照明制御機能付きアダプターにおいて、センサーが光センサーであり、前記制御回路は、光センサーの検知信号に基づき、検知光が多い時は減光信号を送信し、検知光が少ない時は増光信号を送信するように前記リモコン送信部を制御することを特徴とする。
【０００８】
請求項４の発明は、請求項１乃至３のいずれかに記載の照明制御機能付きアダプターにおいて、前記センサーに代えて、商用電源ラインに流れる照明制御信号を検出する電力線搬送機能手段を有し、前記制御回路は、前記電力線搬送機能手段による検出信号に基づいて照明器具の点灯状態を変化させるリモコン信号を送信するように前記リモコン送信部を制御することを特徴とする。
【発明の効果】
【０００９】
請求項１の発明によれば、汎用のリモコン機能を持つ照明器具と電源供給端間に脱着可能なセンサー付きアダプターを挿入、接続するだけで、照明器具のリモコン受信部を含む回路部分に何ら手を加えることなく、容易かつ安価に、各種センサーによる自動点灯、消灯等が可能な高機能な照明器具とすることができる。
【００１０】
請求項２の発明によれば、上記効果に加えて、所望の機能付きセンサーを用いることにより、各種センサー機能を付加、使用することを可能とする。例えば、照度補正機能付きセンサーユニット、熱感知付きセンサーユニット等の別用途のセンサーユニットを簡単に取替え可能となる。
【００１１】
請求項３の発明によれば、上記効果に加えて、所望の照度を一定に保つことを可能とする。
【００１２】
請求項４の発明によれば、上記効果に加えて、電力線搬送による命令信号を利用するので、遠隔地より電力線を介して照明器具を所望の点灯状態に制御することができる。
【発明を実施するための最良の形態】
【００１３】
以下、本発明の実施形態に係る照明制御機能付きアダプターについて図面を参照して説明する。図１（ａ）（ｂ）はそれぞれ本発明の第１の実施形態による照明制御機能付きアダプターを付けた照明器具を示し、いずれも天井面に取り付けられる照明器具に本発明のアダプターを取り付けた状態を示す。図２は、センサー付きアダプターと照明器具のブロック構成を示す。照明器具１Ａは、電源を供給する天井面に設けられた引っ掛けアダプター（図示なし）を介して天井面６に直に取り付けられるリモコン機能を有した汎用のものであるが、本発明のセンサー付きアダプター５Ａ又は５Ｂを介在させて天井面６に取り付けられる。
【００１４】
照明器具１Ａは、器具本体２と、放電灯ランプ（蛍光灯）３と、セード４とを備える。アダプター５Ａ又は５Ｂは、センサー付きで照明器具１Ａと天井６との間に挿入されるもので、アダプター５Ａは、アーム９ａを介在してセンサー９を本体ケース外に備えた形態を示し、アダプター５Ｂは、本体ケース内に人体、明るさ又は熱を検知するセンサーを内装し、ケース外周に間接照明用の大径のランプ３’を備えた形態を示す。本実施形態は、天井面６の引っ掛けアダプターにセンサー付きアダプター５Ａ，５Ｂを取り付け、このアダプター５Ａ．５Ｂの本体ケースに付加された引っ掛けアダプター（図示なし）に、照明器具１Ａを取り付けることにより、図１（ａ）（ｂ）に示すような器具構成となる。なお、以下では、アダプター５Ａを主として説明する。
【００１５】
図２に示すように、照明器具１Ａは、放電灯ランプ３と、放電灯点灯回路１と、外部のリモコンからのリモコン信号を受けるリモコン受信部Ｌ１とを具備する。センサー付きアダプター５Ａは、商用電源から制御回路８と、センサー９と、リモコン受信部Ｌ１へ信号を送信するリモコン送信部Ｌ３の電源となる直流電源を生成する電源部７と、リモコン送信部Ｌ３を制御する制御回路８とを具備し、照明器具１Ａと、ＡＣ電源との間に脱着可能に挿入される。ここに、アダプター５Ａは、照明器具１ＡのＡＣ電源ラインに照明器具１Ａと並列に接続され、電源部７はこのＡＣ電源ラインから電源を取るものとなる。センサー９としては、人体、明るさ、熱その他を検知するセンサーを用いることができる。
【００１６】
照明器具１Ａの放電灯点灯回路１は、商用電源ＡＣからの入力電流の高調波歪みを抑制する回路ＰＦＣ（１）と、ＰＦＣの出力段の直流電圧源となる平滑コンデンサＣ１と、平滑コンデンサＣ１を電源として放電灯ランプ３を点灯する点灯回路ＩＮＶ（１）と、ＰＦＣ（１）とＩＮＶ（１）の回路動作を制御する制御回路（１）とを備える。リモコン受信部Ｌ１は、リモコン送信器より送信される命令信号を受信し、命令信号より放電灯ランプ３を点灯、調光、消灯等をするように制御回路（１）に命令信号を送信する。
【００１７】
上記のように構成されたセンサー付きアダプター５Ａの回路動作を、センサー９が人体検知センサーである場合について、図３を参照して説明する。時刻ｔ１において、センサー感知領域内に人が入ると、センサー９により制御回路８に検知信号を出力し、その検知信号より制御回路８からリモコン送信部Ｌ３を介して照明器具１Ａを点灯させるコマンド（リモコンオン信号）を送る。照明器具１Ａ内のリモコン受信部Ｌ１は、リモコン送信部Ｌ３から出力されるコマンドを受け取り、照明器具１Ａの放電灯ランプ３を点灯する。このとき、時刻ｔ１まで、照明器具１Ａのリモコン受信部Ｌ１は少なくとも動作可能な待機モードであり、時刻ｔ１後に放電灯ランプ３が点灯する光出力レベルは任意のレベルに設定できるようになっている。
【００１８】
また、時刻ｔ２において、センサー感知領域内から人が出ると、センサー９により制御回路８に人を検知していない信号（リモコンオフ信号）を出力し、その信号より制御回路８からリモコン送信部Ｌ３を介して照明器具１Ａを消灯させるコマンドを送る。照明器具１Ａ内のリモコン受信部Ｌ１は、リモコン送信部Ｌ３から出力されるコマンドを受け取り、照明器具１Ａの放電灯ランプ３を消灯する。
【００１９】
本実施形態によれば、照明器具１Ａは汎用の蛍光灯照明器具でありながら、専用のセンサー付き照明器具に取り替えることなく、センサー付きアダプター５Ａを取り付けるだけで、検知領域内の人の有無により自動的に照明器具の点灯状態を変化させることができる照明器具となる。
【００２０】
上記センサー付きアダプター５Ａの変形例による動作について図４を参照して説明する。時刻ｔ１において、センサー感知領域内に人が入ると、センサー９により制御回路８に検知信号を出力し、その検知信号より制御回路８からリモコン送信部Ｌ３を介して照明器具１Ａを点灯させるコマンド（リモコンオン信号）を送る。照明器具１Ａ内のリモコン受信部Ｌ１は、リモコン送信部Ｌ３から出力されるコマンドを受け取り、照明器具１Ａの放電灯ランプ３を点灯する。このとき、時刻ｔ１まで、照明器具１Ａのリモコン受信部Ｌ１は少なくとも動作可能な待機モードであり、時刻ｔ１後に放電灯ランプ３が点灯する光出力レベルは任意のレベルに設定できる。
【００２１】
また、時刻ｔ２において、センサー感知領域内から人が出ると、センサー９により制御回路８に人を検知していない信号を出力し、その信号より制御回路８からリモコン送信部Ｌ３を介して照明器具１Ａの光出力を減光させるコマンド（リモコンＤｉｍ信号）を送る。照明器具１Ａ内のリモコン受信部Ｌ１は、リモコン送信部Ｌ３から出力されるコマンドを受け取り、照明器具１Ａの放電灯ランプ３を任意の光出力レベルに下げる。時刻ｔ２からある一定期間後の時刻ｔ3において、センサー感知領域内から人がいないとセンサー９が認識すると、制御回路８より消灯信号を出力し、その信号より制御回路８からリモコン送信部Ｌ３を介して照明器具１Ａの光出力を消灯させるコマンド（リモコンオフ信号）を送る。照明器具１Ａ内のリモコン受信部Ｌ１は、リモコン送信部Ｌ３から出力されるコマンドを受け取り、照明器具１Ａの放電灯ランプ３を消灯させる。なお、この期間にセンサー９が人を検知すると、光出力を時刻ｔ１からｔ２の期間のレベルに戻す。
【００２２】
本実施形態によれば、上記効果が得られることに加えて、人の動きが小さい場合に人が存在しないと、センサー側が誤検出し、消灯モードになることを避け、ある期間、放電灯ランプ出力を減光するモードを設けることができ、誤検出した場合に直ちに消灯とならず、ユーザーにはある一定以上の光出力を提供することができる。
【００２３】
図５は本発明の第２の実施形態による照明器具を示し、図６はその照明器具に付けられるアダプターを示し、図７はアダプター付き照明器具のブロック構成を示す。照明器具１Ｃは、器具本体２と、放電灯ランプ３と、セード４と、他の照明器具等に電源を送ることを目的とした既存の別電源コンセント１１と、センサー付きアダプター５Ｃ（電源送り用冶具本体でもある）を器具本体２に取り付け固定するためのネジ穴１２を有している。なお、照明器具１Ｃの上面が天井面に対向して取り付けられるが、図５では、引っ掛けアダプターへの取り付け具の図示を省略している。
【００２４】
センサー付きアダプター５Ｃは、回路部を内蔵したアダプター本体部と、その先端部に設けられたセンサーユニット９と、本体を器具本体２のネジ穴１２に取り付け固定するネジ１５と、ＡＣ電源ライン１４と、別電源コンセント１１に接続されるＡＣコネクタ１３とから構成される。照明器具１Ｃは、放電灯ランプ３と、別電源コンセント１１である送り端子１１と、放電灯点灯回路（１）と、リモコン受信部Ｌ１を具備する。センサー付きアダプター５Ｃは、電源部７と、制御回路８と、センサー９と、リモコン送信部Ｌ３とを具備する。
【００２５】
本実施形態は、照明器具１Ｃの別電源コンセント１１（送り端子１１）に、センサーユニット９を持つアダプター５ＣのＡＣコネクタ１３を接続した構成である。本実施形態の動作は、第１の実施形態と同様である。この構成においても、一般的な照明器具にセンサー付きアダプターを接続するだけで、検知領域の人の有無により自動的に照明の点灯状態を変化させる照明器具として使用することができる。
【００２６】
図８は、本発明の第３の実施形態によるセンサー付きアダプターを装備した照明器具を示す。照明器具１Ｄは、放電灯点灯回路（１）と、放電灯ランプ３と、リモコン受信部Ｌ１とを具備し、センサー付きアダプター５Ｄを上述第２の実施形態と同様に接続する場合は、送り端子を具備する。センサー付きアダプター５Ｄは、商用電源から例えば制御回路８、センサー９、リモコン送信部Ｌ３、及びリモコン受信部Ｌ２の電源となる直流電源を生成する電源部７と、リモコン受信部Ｌ２からの命令コードを受けセンサー９の動作状態とリモコン送信部Ｌ３を制御する機能を持つ制御回路８と、センサー９と、リモコン受信部Ｌ２と、リモコン送信部Ｌ３とを具備する。リモコン受信部Ｌ１，Ｌ２は、外部のリモコン送信機Ｌからのリモコン信号を受信する。
【００２７】
上記のように構成されたセンサー付きアダプター５Ｄの回路動作について図９を参照して説明する。時刻ｔ１において、照明器具１Ｄをリモコン送信機Ｌにて消灯モードとすること（リモコンオフ信号）により、放電灯ランプ３は消灯状態になり、アダプター５Ｄ内のリモコン受信部Ｌ２により制御回路８に消灯信号が送られ、その信号によりセンサー９の検知機能をある一定の期間（ｔ１〜ｔ２の期間）停止にする。時刻ｔ３以降、センサー９の検知機能は復帰する。時刻ｔ３で、センサー検知領域内に人の存在を検知すると、センサー９により制御回路８に検知信号（リモコンオン信号）を出力し、その検知信号より照明器具１Ｄの放電灯ランプ３を点灯状態とする。
【００２８】
本実施形態によれば、一般的な照明器具にセンサー付きアダプター５Ｄを接続するだけで、検知領域の人の有無により自動的に照明器具１Ｄの点灯状態を変化させる照明器具となり、例えばユーザーがリモコン送信機Ｌによりセンサー検知状態として部屋を出る期間、センサー９の検知状態を停止させることが可能な照明器具を提供できる。
【００２９】
図１０は、本発明の第４の実施形態によるセンサー付きアダプターを装備した照明器具を示す。本実施形態でのアダプター５Ｅのセンサーは、照度センサー（光センサー）であり、この照度センサー付きアダプター５Ｅを、主照明器具である照明器具１Ｅと天井間に接続される構成となる。照明器具１Ｅは、放電灯ランプ３と、放電灯点灯装置（１）と、リモコン受信部Ｌ１とを具備する。センサー付きアダプター５Ｅは、商用電源から例えば制御回路８、照度センサー９、リモコン送信部Ｌ３の電源となる直流電源を生成する電源部７と、リモコン送信部Ｌ３を制御する制御回路８と、照度センサー９と、リモコン受信部Ｌ２と、リモコン送信部Ｌ３とを具備する。
【００３０】
上記のように構成された照度センサー付きアダプター５Ｅの回路動作について図１１を参照して説明する。ある任意の照度レベルを設定し、ランプの最冷点温度、バラストの温度特性に照度値が変化すると、バラスト調光レベルを変化して補正することにより、所望の光出力を維持する。所望の照度レベルは、リモコン送信機Ｌにて、リモコン受光部Ｌ２を介して制御回路８で設定可能とし、照度センサー９にて放電灯ランプ３の光照度を測定し、閾値を越えると、制御回路８、リモコン送信部Ｌ３を介して調光信号を出力する。照明器具１Ｄ側のリモコン受信部Ｌ１を介して放電灯ランプ３が所望の光出力となるように放電灯点灯回路（１）を制御することにより調光が成される。本実施形態によれば、一般的な照明器具に照度センサー付きアダプター５Ｅを接続するだけで、所望の一定の光をユーザーに提供可能な照明器具として使用することができる。
【００３１】
上記第４の実施形態において、照度センサー付きアダプター５Ｅが図６に示した形態と同様な構成を取る場合、図１２に示すように、センサーユニット部分のみを取り外し自在とし、照度補正機能付きユニット９ａ、熱感知付きユニット９ｂ、センサー付きユニット９ｃ等、別用途のセンサーユニットに取り替え自在としてもよい。
【００３２】
図１３は、本発明の第５の実施形態によるセンサー付きアダプターを装備した照明器具を示す。本実施形態のアダプター５Ｆは、電力線搬送機能ユニット１９を有し（以下、本アダプターを電力線搬送機能付きアダプターという）、照明器具１Ｆと天井間に接続される構成となる。照明器具１Ｆは、放電灯ランプ３と、放電灯点灯回路（１）と、リモコン受信部Ｌ１とを具備する。電力線搬送機能付きアダプター５Ｆは、商用電源から例えば制御回路８、電力線搬送機能ユニット１９、リモコン送信部Ｌ３の電源となる直流電源を生成する電源部７と、リモコン送信部Ｌ３を制御する制御回路８と、商用電源ラインに送られる照明制御信号を検出する電力線搬送機能ユニット１９と、照明制御信号により照明器具１Ｆを所望の点灯状態にする命令コードを送信するリモコン送信部Ｌ３とを具備する。
【００３３】
上記のように構成された電力線搬送機能付きアダプター５Ｆの回路動作について説明する。ある任意の照明制御命令コードが商用電源ラインを介して送信されると、電力線搬送機能ユニット１９により受信し、制御回路８に照明制御命令コードを送信し、制御回路８よりリモコン送信部Ｌ３に照明器具１Ｆを所望の点灯状態とする命令コードを送信するように制御する。リモコン送信部Ｌ３より送信した命令コードを照明器具１Ｆ側のリモコン受信部Ｌ１により受信し、照明器具１Ｆを所望の点灯状態とする。
【００３４】
かくして、本実施形態によれば、遠隔地から電力線を介して照明器具を所望の点灯状態にすることが可能な照明器具として使用することができる。なお、図１３では、センサー９をも備えた実施形態を示したが、このセンサー９は省いて、電力線により搬送される照明制御信号を検出するセンサー機能だけのものであっても構わない。本発明は、上記実施形態の構成に限られることなく、種々の変形が可能である。
【図面の簡単な説明】
【００３５】
【図１】（ａ）（ｂ）はそれぞれ本発明の第１の実施形態によるアダプター付き照明器具の構成図。
【図２】同実施形態による照明器具のブロック構成図。
【図３】同実施形態による照明器具の動作説明図。
【図４】同実施形態による照明器具の他の動作説明図。
【図５】本発明の第２の実施形態によるアダプター付き照明器具の概略外観図。
【図６】（ａ）（ｂ）は同実施形態によるアダプターの平面図及び側面図。
【図７】同実施形態によるアダプター付き照明器具のブロック構成図。
【図８】本発明の第３の実施形態によるアダプター付き照明器具のブロック構成図。
【図９】同実施形態による照明器具の動作説明図。
【図１０】本発明の第４の実施形態によるアダプター付き照明器具のブロック構成図。
【図１１】同実施形態による照明器具の動作説明図。
【図１２】同実施形態のアダプターの変形例を示す側面図。
【図１３】本発明の第５の実施形態によるアダプター付き照明器具のブロック構成図。
【符号の説明】
【００３６】
１Ａ，１Ｂ，１Ｃ，１Ｄ，１Ｅ，１Ｆ    照明器具
２    器具本体
３    放電灯ランプ
５Ａ，５Ｃ，５Ｄ．５Ｅ    センサー付きアダプター
５Ｆ    電力線搬送機能付きアダプター
８    制御回路
９    センサー
１９    電力線搬送機能ユニット
Ｌ１    リモコン受信部
Ｌ３    リモコン送信部
【図１】
2005158439.tif 000003
【図２】
2005158439.tif 000004
【図３】
2005158439.tif 000005
【図４】
2005158439.tif 000006
【図５】
2005158439.tif 000007
【図６】
2005158439.tif 000008
【図７】
2005158439.tif 000009
【図８】
2005158439.tif 000010
【図９】
2005158439.tif 000011
【図１０】
2005158439.tif 000012
【図１１】
2005158439.tif 000013
【図１２】
2005158439.tif 000014
【図１３】
2005158439.tif 000015